【手続補正書】
【提出日】平成16年2月19日(2004.2.19)
【手続補正１】
【補正対象書類名】明細書
【補正対象項目名】特許請求の範囲
【補正方法】変更
【補正の内容】
【特許請求の範囲】
【請求項１】
脱着可能に装着されデータを記録または再生するディスクと一体的に回転可能に設けられ、固体のバランス部材が実質的に同じ円周上を移動可能に収納された中空環状部を有するバランサーを具備することを特徴とするディスク駆動装置。
【請求項２】
脱着可能に装着されデータを記録または再生するディスクと一体的に回転可能に設けられ、固体のバランス部材が移動可能に収納された中空環状部を有するバランサーを具備し、
前記バランス部材は前記中空環状部の半径方向に２列以上並ぶことがないことを特徴とするディスク駆動装置。
【請求項３】
前記バランス部材が球体であることを特徴とする請求項１または２記載のディスク駆動装置。
【請求項４】
脱着可能に装着されデータを記録または再生するディスクと一体的に回転可能に設けられ、複数個の中空環状部を有し、前記複数個の中空環状部のうち、少なくとも一つの前記中空環状部の内部に球体を収納し、他方の前記中空環状部の内部に液体を封入したバランサーを具備することを特徴とするディスク駆動装置。
【請求項５】
脱着可能に装着されデータを記録または再生するディスクが載置され、前記ディスクを回転可能に支持するターンテーブルと、
固体のバランス部材が実質的に同じ円周上を移動可能に収納された中空環状部を有するバランサーと、
前記バランサーと一体的に形成され、前記ターンテーブルとの間に前記ディスクを挟持するクランパと、
を具備することを特徴とするディスク駆動装置。
【請求項６】
脱着可能に装着されデータを記録または再生するディスクが載置され、前記ディスクを回転可能に支持するターンテーブルと、
固体のバランス部材が移動可能に収納された中空環状部を有するバランサーと、
前記バランサーと一体的に形成され、前記ターンテーブルとの間に前記ディスクを挟持するクランパと、を具備し、
前記バランス部材は前記中空環状部の半径方向に２列以上並ぶことがないことを特徴とするディスク駆動装置。
【請求項７】
固体のバランス部材が実質的に同じ円周上を移動可能に収納された中空環状部を有するバランサーと、
脱着可能に装着されデータを記録または再生するディスクが載置され、前記ディスクを回転可能に支持し、前記バランサーと一体的に形成されたターンテーブルと、
を具備することを特徴とするディスク駆動装置。
【請求項８】
固体のバランス部材が移動可能に収納された中空環状部を有するバランサーと、
脱着可能に装着されデータを記録または再生するディスクが載置され、前記ディスクを回転可能に支持し、前記バランサーと一体的に形成されたターンテーブルと、を具備し、
前記バランス部材は前記中空環状部の半径方向に２列以上並ぶことがないことを特徴とするディスク駆動装置。
【請求項９】
ディスク回転駆動用スピンドルモータのスピンドル軸と嵌合する位置決め孔を有し、脱着可能に装着されデータを記録または再生するディスクが載置され、前記ディスクを回転可能に支持するターンテーブルと、
前記位置決め孔と嵌合する突起を有し、前記ターンテーブルと共に前記ディスクを挟持するクランパと、
バランス部材が収納された中空環状部を有し、前記中空環状部が前記突起と同軸に設けられ、前記クランパと一体的に形成されたバランサーと、
を具備することを特徴とするディスク駆動装置。
【請求項１０】
脱着可能に装着されデータを記録または再生するディスクと一体的に回転可能に設けられ、固体のバランス部材が実質的に同じ円周上を移動可能に収納された中空環状部を有することを特徴とするディスク駆動装置用バランサー。
【請求項１１】
脱着可能に装着されデータを記録または再生するディスクと一体的に回転可能に設けられ、固体のバランス部材が移動可能に収納された中空環状部を有し、
前記バランス部材は前記中空環状部の半径方向に２列以上並ぶことがないことを特徴とするディスク駆動装置用バランサー。
【請求項１２】
前記バランス部材が球体であることを特徴とする請求項１０または１１記載のディスク駆動装置用バランサー。
【請求項１３】
ターンテーブル上に脱着可能に載置されたデータを記録または再生するディスクを回転可能に挟持し、固体のバランス部材が実質的に同じ円周上を移動可能に収納された中空環状部を有するバランサーと一体的に形成されたディスク駆動装置用クランパ。
【請求項１４】
ターンテーブル上に脱着可能に載置されたデータを記録または再生するディスクを回転可能に挟持し、固体のバランス部材が移動可能に収納された中空環状部を有するバランサーと一体的に形成され、
前記バランス部材は前記中空環状部の半径方向に２列以上並ぶことがないことを特徴とするディスク駆動装置用クランパ。
【請求項１５】
脱着可能に装着されデータを記録または再生するディスクが載置され、前記ディスクを回転可能に支持し、固体のバランス部材が実質的に同じ円周上を移動可能に収納された中空環状部を有するバランサーと一体的に形成されたディスク駆動装置用ターンテーブル。
【請求項１６】
脱着可能に装着されデータを記録または再生するディスクが載置され、前記ディスクを回転可能に支持し、固体のバランス部材が移動可能に収納された中空環状部を有するバランサーと一体的に形成され、
前記バランス部材は前記中空環状部の半径方向に２列以上並ぶことがないことを特徴とするディスク駆動装置用ターンテーブル。
【手続補正２】
【補正対象書類名】明細書
【補正対象項目名】００１０
【補正方法】変更
【補正の内容】
【００１０】
本発明に係るディスク駆動装置は、脱着可能に装着されデータを記録または再生するディスクと一体的に回転可能に設けられ、固体のバランス部材が実質的に同じ円周上を移動可能に収納された中空環状部を有するバランサーを具備する。
また、本発明に係るディスク駆動装置は、脱着可能に装着されデータを記録または再生するディスクと一体的に回転可能に設けられ、固体のバランス部材が移動可能に収納された中空環状部を有するバランサーを具備し、
前記バランス部材は前記中空環状部の半径方向に２列以上並ぶことがないよう構成されている。
このため、本発明のディスク駆動装置によれば、高い耐振動・耐衝撃特性を有し、かつ高速転送可能なディスク駆動装置を実現することができる。
また、本発明に係るディスク駆動装置は、前記バランス部材が球体である。
このため、本発明のディスク駆動装置によれば、アンバランスの大きなディスクが装着されても、アンバランスの小さなディスクが装着されても振動を確実に抑制することができる。


【手続補正３】
【補正対象書類名】明細書
【補正対象項目名】００１１
【補正方法】変更
【補正の内容】
【００１１】
本発明に係るディスク駆動装置は、脱着可能に装着されデータを記録または再生するディスクと一体的に回転可能に設けられ、複数個の中空環状部を有し、前記複数個の中空環状部のうち、少なくとも一つの前記中空環状部の内部に球体を収納し、他方の前記中空環状部の内部に液体を封入したバランサーを具備する。
このため、本発明のディスク駆動装置によれば、装着されたアンバランスなディスクによる振動を確実に抑制することができる。
本発明に係るディスク駆動装置は、脱着可能に装着されデータを記録または再生するディスクが載置され、前記ディスクを回転可能に支持するターンテーブルと、
固体のバランス部材が実質的に同じ円周上を移動可能に収納された中空環状部を有するバランサーと、
前記バランサーと一体的に形成され、前記ターンテーブルとの間に前記ディスクを挟持するクランパと、を具備する。
また、本発明に係るディスク駆動装置は、脱着可能に装着されデータを記録または再生するディスクが載置され、前記ディスクを回転可能に支持するターンテーブルと、
固体のバランス部材が移動可能に収納された中空環状部を有するバランサーと、
前記バランサーと一体的に形成され、前記ターンテーブルとの間に前記ディスクを挟持するクランパと、を具備し、
前記バランス部材は前記中空環状部の半径方向に２列以上並ぶことがないよう構成されている。
このため、本発明のディスク駆動装置によれば、装着されたアンバランスなディスクによる振動を抑制することができる。


【手続補正４】
【補正対象書類名】明細書
【補正対象項目名】００１２
【補正方法】変更
【補正の内容】
【００１２】
本発明に係るディスク駆動装置は、固体のバランス部材が実質的に同じ円周上を移動可能に収納された中空環状部を有するバランサーと、
脱着可能に装着されデータを記録または再生するディスクが載置され、前記ディスクを回転可能に支持し、前記バランサーと一体的に形成されたターンテーブルと、を具備する。
また、本発明に係るディスク駆動装置は、固体のバランス部材が移動可能に収納された中空環状部を有するバランサーと、
脱着可能に装着されデータを記録または再生するディスクが載置され、前記ディスクを回転可能に支持し、前記バランサーと一体的に形成されたターンテーブルと、を具備し、
前記バランス部材は前記中空環状部の半径方向に２列以上並ぶことがないよう構成されている。
このため、本発明のディスク駆動装置によれば、装着されたアンバランスなディスクによる振動を抑制することができ、安定して記録または再生が可能である。


【手続補正５】
【補正対象書類名】明細書
【補正対象項目名】００１３
【補正方法】変更
【補正の内容】
【００１３】
本発明に係るディスク駆動装置は、ディスク回転駆動用スピンドルモータのスピンドル軸と嵌合する位置決め孔を有し、脱着可能に装着されデータを記録または再生するディスクが載置され、前記ディスクを回転可能に支持するターンテーブルと、
前記位置決め孔と嵌合する突起を有し、前記ターンテーブルと共に前記ディスクを挟持するクランパと、
バランス部材が収納された中空環状部を有し、前記中空環状部が前記突起と同軸に設けられ、前記クランパと一体的に形成されたバランサーと、を具備する。
このため、本発明のディスク駆動装置によれば、装着されたアンバランスなディスクによる振動を抑制することができ、安定して記録または再生が可能である。


【手続補正６】
【補正対象書類名】明細書
【補正対象項目名】００１４
【補正方法】変更
【補正の内容】
【００１４】
本発明に係るディスク駆動装置用バランサーは、脱着可能に装着されデータを記録または再生するディスクと一体的に回転可能に設けられ、固体のバランス部材が実質的に同じ円周上を移動可能に収納された中空環状部を有する。
また、本発明に係るディスク駆動装置用バランサーは、脱着可能に装着されデータを記録または再生するディスクと一体的に回転可能に設けられ、固体のバランス部材が移動可能に収納された中空環状部を有し、
前記バランス部材は前記中空環状部の半径方向に２列以上並ぶことがないよう構成されている。
また、本発明に係るディスク駆動装置用バランサーにおいて、バランス部材が球体である。
このため、本発明のディスク駆動装置用バランサーによれば、装着されたアンバランスなディスクによる振動を抑制することができる。


【手続補正７】
【補正対象書類名】明細書
【補正対象項目名】００１５
【補正方法】変更
【補正の内容】
【００１５】
本発明に係るディスク駆動装置用クランパは、ターンテーブル上に脱着可能に載置されたデータを記録または再生するディスクを回転可能に挟持し、固体のバランス部材が実質的に同じ円周上を移動可能に収納された中空環状部を有するバランサーと一体的に形成されている。
また、本発明に係るディスク駆動装置用クランパは、ターンテーブル上に脱着可能に載置されたデータを記録または再生するディスクを回転可能に挟持し、固体のバランス部材が移動可能に収納された中空環状部を有するバランサーと一体的に形成され、
前記バランス部材は前記中空環状部の半径方向に２列以上並ぶことがないよう構成されている。
このため、本発明のディスク駆動装置用クランパによれば、このクランパを組み込んだディスク駆動装置に装着されたアンバランスなディスクによる振動を抑制することができる。


【手続補正８】
【補正対象書類名】明細書
【補正対象項目名】００１６
【補正方法】変更
【補正の内容】
【００１６】
本発明に係るディスク駆動装置用ターンテーブルは、脱着可能に装着されデータを記録または再生するディスクが載置され、前記ディスクを回転可能に支持し、固体のバランス部材が実質的に同じ円周上を移動可能に収納された中空環状部を有するバランサーと一体的に形成されている。
また、本発明に係るディスク駆動装置用ターンテーブルは、脱着可能に装着されデータを記録または再生するディスクが載置され、前記ディスクを回転可能に支持し、固体のバランス部材が移動可能に収納された中空環状部を有するバランサーと一体的に形成され、
前記バランス部材は前記中空環状部の半径方向に２列以上並ぶことがないよう構成されている。
このため、本発明のディスク駆動装置用ターンテーブルによれば、このターンテーブルを組み込んだディスク駆動装置に装着されたアンバランスなディスクによる振動を抑制することができる。